(57)【特許請求の範囲】
【請求項１】
一端側がテンションバー（１）に連結され他端側がセンターピン（２）に連結される引抜カプラー（３）と、該引抜カプラー（３）を抜け止め保持すべく前記センターピン（２）の連結部に着脱自在に連結されるロックカプラー（４）とを備えてなるテンションロックバーにおいて、
前記ロックカプラー（４）に突設されたロック部（４ａ）と、該ロック部（４ａ）と接合すべくピストンロッド（６）に形成されたロック受部（５ａ）とからなる、前記ロックカプラー（４）の抜け止め用のストッパー（５）を設けてなること
を特徴とするテンションロックバー。
【発明の詳細な説明】
【０００１】
【発明の属する技術分野】
本発明は、センターホールジャッキ等でセンターピンを抜き取る際に使用されるテンションロックバーに関し、更に詳しくは、仮令、センターピンとの連結部分（ピンテール）が折損したとしても、テンションバーが飛ばされることがない安全なテンションロックバーに関する。
【０００２】
【従来の技術】
従来、斯かるテンションバーとしては、例えば、特開平６−１７５３８号公報に開示されたものが従来例として周知である。このセンターホールジャッキは、シリンダチューブ、インナーチューブ及びロッドカバーで画成された室内に、ピストン及びピストンロッドが摺動自在に収められており、該ピストンロッド内にテンションバーを連結せしめてセンターピンを強制的に引き抜いている。
【０００３】
【発明が解決しようとする課題】
しかしながら、上述した特開平６−１７５３８号公報に開示されているテンションバーにあっては、センターピンを引き抜く際に、センターピンとの連結部分に１０〜２０トンの力（圧力）がかかってしまうため、斯かる連結部分が折損した際は、テンションバーが飛ばされてしまうといった問題があり、作業上、大変に危険であった。
【０００４】
本発明はこのような従来の問題点に鑑みてなされたもので、センターホールジャッキ等でセンターピンを抜き取る際に、仮令、センターピンとの連結部分（ピンテール）が折損したとしても、テンションバーが飛ばされることがない安全なテンションロックバーの提供を目的としたものである。
【０００５】
【課題を解決するための手段】
上述の如き従来の問題点を解決し、所期の目的を達成するため本発明の要旨とする構成は、一端側がテンションバー（１）に連結され他端側がセンターピン（２）に連結される引抜カプラー（３）と、該引抜カプラー（３）を抜け止め保持すべく前記センターピン（２）の連結部に着脱自在に連結されるロックカプラー（４）とを備えてなるテンションロックバーにおいて、前記ロックカプラー（４）に突設されたロック部（４ａ）と、該ロック部（４ａ）と接合すべくピストンロッド（６）に形成されたロック受部（５ａ）とからなる、前記ロックカプラー（４）の抜け止め用のストッパー（５）を設けてなることを特徴とするテンションロックバーに存する。
【０００８】
このように構成される本発明のテンションロックバーは、ロックカプラー（４）に突設されたロック部（４ａ）と、該ロック部（４ａ）と接合すべくピストンロッド（６）に形成されたロック受部（５ａ）とからなる、前記ロックカプラー（４）の抜け止め用のストッパー（５）を設けてなることによって、作業中にセンターピンが折損したとしても、前記ロック部がロック受部に着座し、テンションバーの圧飛を阻止し得ることとなる。
【０００９】
【発明の実施の形態】
次に、本発明の実施の一例を図面を参照しながら説明する。図中Ａは、本発明に係るテンションロックバーであり、このテンションロックバーＡは、テンションバー１とセンターピン２とを連結する引抜カプラー３と、該引抜カプラー３に摺動自在に抜け止めされるロックカプラー４とを備えている。
【００１０】
テンションバー１は、図１及び図２に示すように、一端側に雄螺旋状のピンテール１ａが突設してあり、後述する引抜カプラー３の連結孔３ａに螺合される。
【００１１】
また、センターピン（取付ピン）２は、テーパーピンからなり、図２に示すように、大径のプルロッド２ａと、該プルロッド２ａより遠ざかる方向に縮径するテーパー面２ｂと、該テーバー面２ｂに連設された螺旋部２ｃと、該螺旋部２ｃの解放端に突設された雄螺旋状のピンテール２ｄとから構成されている。
【００１２】
更に、引抜カプラー３は、両端に螺合孔３ａ，３ｂを有する剛性金属体からなり、下端側の螺合孔３ａがテンションバー１のピンテール１ａに連結され上端側の螺合孔３ｂがセンターピン２の螺旋部２ｃに連結されことにより、テンションバー１及びセンターピン２とを同軸状に連結するものであり、外周面にロックカラー３ｃが形成されている。
【００１３】
このロックカラー３ｃは、環状突起からなり、ロックカプラー４内に収まるように突設されると共に、後述する同ロックカプラー４の座部４ｂに着座（整合）できるべく周設されている。
【００１４】
また、ロックカプラー４は、両端が開放し内周面に雌螺旋が刻設された金属製の短筒体からなり、外周面に環状突起のロック部４ａを、内周面に環状の座部４ｂを備えている。
【００１５】
このロックカプラー４は、引抜カプラー３に摺動自在に抜け止め保持すべく前記センターピン２の螺旋部２ｃに着脱自在に螺合されるものであり、ストッパー５を介してピストンロッド６内からの抜け落ちが阻止されている。
【００１６】
ストッパー５は、ロックカプラー４に突設された前記ロック部４ａと、該ロック部４ａと接合すべくピストンロッド６の遊端面に形成された環状のロック受部５ａとから構成されている。
【００１７】
ロック受部５ａは、テンションバー１の外径よりも大きく、かつ、ロックカプラー４のロック部４ａの外径よりも小さい環状体から形成されている。
【００１８】
ピストンロッド６及びジャッキ本体７は、超高圧及び特殊鋼の採用により、例えば、アルミ合金にて成形することにより、軽量、小型に設計されている。
【００１９】
因に、ピストンロッド６は、表面に例えばハードクロムメッキ処理がなされており、内側にインナーシリンダ８（図３参照）が、外側にロッドカバー（図示せず）が装着されている。
【００２０】
また、このピストンロッド６は、伸長を油圧で、戻し（伸縮）を内蔵スプリングで行うシンプル構造（所謂バネ戻し型）である。
【００２１】
このように構成される本発明のテンションロックバーＡは、まず、テンションバー１のピンテール１ａとセンターピン２のピンテール２ｄとを引抜カプラー３を介して同軸状に螺合連結し、次いで、前記ロックカプラー４をセンターピン２の螺旋部２ｃに螺合した状態でジャッキ本体１のピストンロッド６内に挿着し（図２参照）、然る後、油圧ポンプ（図示せず）を介して給油されることにより、ピストンロッド６を所定ストロークだけ変位させてセンターピン２を引き上げることができる。
【００２２】
また、センターピン２を引き上げる際に、図４に示すように、センターピン２のピンテール２ｄ部分が折損したとしても、前記引抜カプラー３の環状突起３ｃがロックカプラー４内の座部４ｂに抜け止めされることとなり、テンションバー１が飛ばされることがない。
【００２３】
更に、センターピン２が小径部から折れたとしても、前記ロック部４ａがピストンロッド６に遊端側に設けられたロック受部５ａに着座（係止）されるため、従来の如きテンションバー１の圧飛を阻止することができるのである。
【００２４】
尚、本発明のテンションロックバーＡは、本実施例に限定されることなく、本発明の目的の範囲内で自由に設計変更し得るものであり、本発明はそれらの全てを包摂するものである。
【００２５】
例えば、本実施例で示したセンターホールジャッキでは、ピストンロッド６の戻しを内蔵スプリング（図示せず）で行うものであるが、必要に応じ（伸長の場合と同様）戻しも油圧ポンプで行っても良い。
【００２６】
【発明の効果】
本発明は上述のように構成され、一端側がテンションバー（１）に連結され他端側がセンターピン（２）に連結される引抜カプラー（３）と、該引抜カプラー（３）を抜け止め保持すべく前記センターピン（２）の連結部に着脱自在に連結されるロックカプラー（４）とを備えてなるテンションロックバーにおいて、前記ロックカプラー（４）に突設されたロック部（４ａ）と、該ロック部（４ａ）と接合すべくピストンロッド（６）に形成されたロック受部（５ａ）とからなる、前記ロックカプラー（４）の抜け止め用のストッパー（５）を設けてなることによって、センターホールジャッキ等でセンターピンを抜き取る際に、仮令、センターピンとの連結部分（ピンテール）が折損したとしても、前記引抜カプラーがロックカプラーに抜け止めされるため、従来の如くテンションバーが飛ばされることがなく、作業上の安全性を高めることができる。
具体的には、センターピンが折損したとしても、ロック部がロック受部に着座し、テンションバーの圧飛を阻止できるため、より安全に作業を行うことができるといった効果を奏するものである。
【００２８】
このように本発明のテンションロックバーは、仮令、センターピンとの連結部分（ピンテール）が折損したとしても、テンションバーが飛ばされることがなく安全であり、また、構成が単純であるため大量生産に適し、価格も低廉なものとして需要者に提供できるなど、本発明を実施することはその実益的価値が甚だ大である。
【図面の簡単な説明】
【図１】本発明に係るテンションロックバーをセンターホールジャッキ内に挿着した状態を示す縦断面図である。
【図２】本発明に係るテンションロックバーの組立分解斜視図である。
【図３】同テンションロックバーをセンターホールジャッキ内に挿着した状態を示す一部断斜視図である。
【図４】センターホールジャッキ内でセンターピンのピンテール部分が折損した状態を示す同縦断面図である。
【符号の説明】
１  テンションバー
１ａ  ピンテール
２  センターピン
２ａ  プルロッド
２ｂ  テーパー面
２ｃ  螺旋部
２ｄ  ピンテール
３  引抜カプラー
３ａ  螺合孔
３ｂ  螺合孔
３ｃ  ロックカラー
４  ロックカプラー
４ａ  ロック部
４ｂ  座部
５  ストッパー
５ａ  ロック受部
６  ピストンロッド
７  ジャッキ本体
８  インナーシリンダ
【図１】
0004339481.tif 000002
【図２】
0004339481.tif 000003
【図３】
0004339481.tif 000004
【図４】
0004339481.tif 000005